(57)【要約】正面部分および背面部分を有するつばを含む、帽子が、開示される。帽子はまた、つばの背面部分と結合される円頂部を含む。つばは、つばの背面部分に沿って設置された１つ以上の吸気ポートを含み、円頂部は、１つ以上の排気ポートを含む。１つ以上の吸気ポートは、１つ以上の補強材によって分離されている。つばは、１つ以上の構造タブを備える。１つ以上の構造タブは、空間によって分離されている。１つ以上の構造タブは、つばと垂直である。
2019529732.tif 000002
【特許請求の範囲】
【請求項１】
帽子であって、
正面部分および背面部分を備えるつばと、
前記つばの背面部分と結合された円頂部と、
前記つばの背面部分に沿って設置された１つ以上の吸気ポートと
を備える、帽子。
【請求項２】
前記１つ以上の吸気ポートは、１つ以上の補強材によって分離されている、請求項１に記載の帽子。
【請求項３】
前記つばは、１つ以上の構造タブを備える、請求項２に記載の帽子。
【請求項４】
前記１つ以上の構造タブは、空間によって分離されている、請求項３に記載の帽子。
【請求項５】
前記１つ以上の構造タブは、前記つばと垂直である、請求項３に記載の帽子。
【請求項６】
間隙を前記つばの背面部分と前記吸気ポートとの間にさらに備える、請求項１に記載の帽子。
【請求項７】
間隙を前記１つ以上の構造タブと前記１つ以上の吸気ポートとの間にさらに備える、請求項５に記載の帽子。
【請求項８】
前記円頂部は、１つ以上の排気ポートを備える、請求項１に記載の帽子。
【請求項９】
前記１つ以上の排気ポートは、前記円頂部の背面上に位置する、請求項８に記載の帽子。
【請求項１０】
前記１つ以上の排気ポートは、前記円頂部の側面上に位置する、請求項８に記載の帽子。
【請求項１１】
つばであって、
前記つばの背面部分に沿って設置された１つ以上の吸気ポートを備える、つば。
【請求項１２】
前記１つ以上の吸気ポートは、１つ以上の補強材によって分離されている、請求項１１に記載のつば。
【請求項１３】
前記１つ以上の補強材は、８分の１インチの幅である、請求項１２に記載のつば。
【請求項１４】
前記つばは、１つ以上の構造タブを備える、請求項１２に記載のつば。
【請求項１５】
前記１つ以上の構造タブは、前記つばと垂直である、請求項１４に記載のつば。
【請求項１６】
間隙を前記１つ以上の構造タブと前記１つ以上の吸気ポートとの間にさらに備える、請求項１５に記載のつば。
【請求項１７】
２０の構造タブを備える、請求項１４に記載のつば。
【請求項１８】
４つの吸気ポートを備える、請求項１に記載のつば。
【請求項１９】
６つの吸気ポートを備える、請求項１に記載のつば。
【請求項２０】
１０の吸気ポートを備える、請求項１に記載のつば。
【発明の詳細な説明】
【技術分野】
【０００１】
（関連出願への相互参照）
本出願は、２０１６年９月２３日に出願された「Ｃｏｏｌｉｎｇ  Ｈａｔ」という題名の米国仮出願第６２／３９９，０８１号および２０１７年４月１０日に出願された「Ｃｏｏｌｉｎｇ  Ｈａｔ」という題名の米国仮出願第６２／４８３，８６０号の利益を、および３５  Ｕ．Ｓ．Ｃ．§１１９（ｅ）下で優先権を主張する、２０１７年９月２２日に出願された「Ｃｏｏｌｉｎｇ  Ｈａｔ」という題名の米国特許出願第１５／７１３，４７４号のＰＣＴ出願である。上記文献は、それらの全体としてここで参照することによって本明細書において援用される。
【０００２】
（技術分野）
本開示は、概して、頭部冷却デバイスに関し、より具体的には、増加された空気流および冷却性質を伴う、帽子に関する。
【背景技術】
【０００３】
（背景）
帽子に関する頻繁な問題は、それらが、十分な空気流を装着者の頭部の周囲に提供せず、代わりに、熱を帽子の内側に集めさせ、発汗を装着者に生じさせるにすぎないものであることである。従来、帽子は、帽子の背面または帽子の上部に通気口を有するように設計されている。本設計に関する問題は、熱がこれらの通気口から逃げる方法のみを提供するが、設計が、空気を装着者の頭部の周囲に循環させるものではないことである。空気流を装着者の頭部の周囲にかつそれにわたって可能にすることの欠如は、望ましくない。
【発明の概要】
【課題を解決するための手段】
【０００４】
図１は、ある実施形態による、例示的帽子１１０の下面図１００を図示する。帽子１１０は、空気流を装着者の頭部の周囲にかつそれにわたって提供する、一意の設計および構成を備える。帽子１１０は、１つ以上の吸気ポート１３０を１つ以上の排気ポート１４０と組み合わせ、空気流を装着者の頭部の周囲にかつそれにわたって循環させる、複数のポート換気システムを備える。
【０００５】
本発明のより完全な理解は、以下の例証的図と併せて検討されるとき、発明を実施するための形態を参照することによって導出され得る。図中、同様の参照番号は、図全体を通して同様の要素または作用を指す。
【図面の簡単な説明】
【０００６】
【図１】図１は、ある実施形態による、例示的帽子の下面図を図示する。
【図２】図２は、ある実施形態による、図１の帽子の側面図を図示する。
【図３】図３は、ある実施形態による、図１の帽子の内側の例示的背面図を図示する。
【図４】図４は、別の実施形態による、可撓性バンドを含む、図１の帽子の内側の例示的背面図を図示する。
【図５】図５は、ある実施形態による、吸気ポートおよび構造タブを含む、つばの代替構成を伴う、下面図を図示する。
【図６】図６は、ある実施形態による、図５の帽子１１０の内側の上面図６００を図示する。
【図７Ａ】図７Ａ−７Ｅは、ある実施形態による、つば１２０の吸気パーツ１３０の例示的実施形態を図示する。
【図７Ｂ】図７Ａ−７Ｅは、ある実施形態による、つば１２０の吸気パーツ１３０の例示的実施形態を図示する。
【図７Ｃ】図７Ａ−７Ｅは、ある実施形態による、つば１２０の吸気パーツ１３０の例示的実施形態を図示する。
【図７Ｄ】図７Ａ−７Ｅは、ある実施形態による、つば１２０の吸気パーツ１３０の例示的実施形態を図示する。
【図７Ｅ】図７Ａ−７Ｅは、ある実施形態による、つば１２０の吸気パーツ１３０の例示的実施形態を図示する。
【発明を実施するための形態】
【０００７】
（詳細な説明）
本明細書に提示される本発明の側面および用途は、以下の図面および発明を実施するための形態に説明される。具体的に述べられない限り、明細書および請求項における単語および語句は、当業者にとって、その平易、通常、かつ慣れ親しまれた意味が与えられることが意図される。
【０００８】
以下の説明では、説明目的のために、多数の具体的詳細が、本発明の種々の側面の完全な理解を提供するために記載される。しかしながら、当業者によって、本発明は、これらの具体的詳細を伴わずに実践されてもよいことが理解されるであろう。他の事例では、公知の構造およびデバイスは、本発明を曖昧にすることを回避するために、より一般的に図示または議論される。多くの場合、動作の説明は、特に、動作がソフトウェア内に実装されることになるとき、本発明の種々の形態を実装することを可能にするために十分である。開示される発明が適用され得る、多くの異なるおよび代替となる構成、デバイス、ならびに技術が存在することに留意されたい。本発明の全範囲は、以下に説明される実施例に限定されない。
【０００９】
実施形態によると、つば１２０が、帽子１１０の基部から外向きに突出してもよく、帽子１１０の正面部分でもある、正面部分１３２と、帽子１１０の基部において装着者の頭部と接触する、背面部分１３４とを備えてもよい。加えて、帽子１１０のつば１２０は、装着者の頭部に係合する帽子１１０の正面部分におけるつば１２０の背面部分１３４に沿って設置される、１つ以上の吸気ポート１３０を備えてもよい。つば１２０内に設置された１つ以上の吸気ポート１３０は、間隙１５０を装着者の頭部の正面と帽子１１０のつば１２０の吸気パーツ１３０の正面との間にもたらす。吸気ポート１３０（下記により詳細に議論されるように）のサイズ、位置、および設置は、間隙１５０の入力または出力をもたらし、つば１２０の下から吸気ポート１３０を通して間隙１５０の中へと、装着者の頭部の周囲にかつそれにわたって流動し、次いで、排気ポート１４０から外に流動するように、空気を指向する。加えて、下記により詳細に議論されるように、空気は、１つ以上の排気ポート１４０から、装着者の頭部の周囲にかつそれにわたって、間隙１５０を通して、装着者の頭部の正面におけるつば１２０下の吸気ポート１３０から外に流動し得る。すなわち、装着者の頭部の周囲にかつそれにわたって空気流を増加させるために、１つ以上の排気ポート１４０は、吸気ポート１３０からの空気が帽子１１０から外に流動することを可能にする、帽子１１０の別の部分に結合されてもよい。
【００１０】
実施形態によると、帽子１１０は、１つ以上の排気ポート１４０を帽子１１０の側面または背面上に備えてもよい。帽子１１０の正面における吸気ポート１３０に進入する空気は、装着者の頭部の周囲にかつそれにわたって、帽子１１０の背面または側面における１つ以上の排気ポート１４０を通して流動し得る。このように、空気は、帽子１１０の正面を通して流入し、帽子１１０の背面を通して流出し得る。
【００１１】
吸気ポート１３０は、実質的に、帽子１１０の正面に図示および説明され、排気ポート１４０は、実質的に、帽子１１０の側面または背面上に説明されるが、実施形態は、特定の必要性に従って、吸気ポート１３０および排気ポート１４０の任意の数または場所を検討する。例えば、吸気ポート１３０をつば１２０下の帽子１１０の正面に位置させることは、つば１２０下に収集される空気が、吸気ポート１３０の中に、間隙１５０を通して、装着者の頭部の周囲にかつそれにわたって送り込まれ、排気ポート１４０から退出することを可能にする。実際、開示される実施形態は、大量の空気をつば１２０の表面積下から収集し、その空気を装着者の頭部の正面における間隙１５０を通して導くことによって特に強い空気流をもたらし、強い冷却感をもたらす。加えて、または代替として、装着者の頭部からもたらされた任意の熱は、空気差動を生じさせ、それによって、装着者の頭部の周囲にかつそれにわたって、吸気ポート１３０および排気ポート１４０の内外への空気流を増加させる。
【００１２】
いくつかの実施形態によると、吸気ポート１３０および排気ポート１４０は、十分な空気流が装着者の頭部の周囲を循環することを可能にするように定寸される。実施形態によると、排気ポート１４０は、吸気ポート１３０を通して流入する全ての空気が排気ポート１４０を通して容易に排気されるように定寸される。加えて、吸気ポート１３０および排気ポート１４０は、装着者の頭部によって放熱される熱の熱力学的性質を考慮するように定寸されてもよい。例えば、吸気ポート１３０および排気ポート１４０は、典型的装着者の頭部からの熱を消散させるように定寸される。しかしながら、吸気ポート１３０および排気ポート１４０は、装着者によって放熱される熱の量、帽子１１０のサイズおよびタイプ、および／または環境の周囲熱に基づいて、より大きくまたはより小さく定寸されてもよい。
【００１３】
加えて、吸気ポート１３０および排気ポート１４０は、異なる風環境に適応するように定寸されてもよい。実施形態によると、吸気ポート１３０および排気ポート１４０は、風が帽子１１０を装着者の頭部から吹き飛ばさないように、十分な風が帽子１１０を通して通過することを可能にするように定寸されてもよい。例えば、吸気ポート１３０は、帽子１１０を通る増加された空気流が帽子１１０を装着者の頭部から吹き飛ばさないように、より小さいサイズの開口部を備えてもよい。加えて、または代替として、排気ポート１４０は、帽子１１０の中に進入する任意の量の空気が、帽子１１０を装着者の頭部から吹き飛ばさずに自由に逃散し得るように、大きく定寸されてもよい。言い換えると、排気ポート１４０が、小さすぎる場合、帽子１１０は、装着者の頭部から吹き飛ばされ得る。
【００１４】
図２は、ある実施形態による、図１の帽子１１０の側面図２００を図示する。実施形態によると、帽子１１０は、つば１２０と、装着者の頭部の円頂部を被覆する、円頂部１６０とを備える。円頂部１６０は、円頂部の正面１６２と、円頂部の背面１６４と、円頂部の側面１６６とを備えてもよい。実施形態によると、帽子１１０は、１つ以上の排気ポート１４０を円頂部の背面１６４および／または円頂部の側面１６６上に備える。実施形態によると、排気ポート１４０は、本明細書により詳細に説明されるように、帽子１１０のための換気システムとしての役割を果たす。一実施形態では、排気ポート１４０の表面積は、吸気ポート１３０を通して流動する空気の量が、空気流を妨害せずに迅速に排気することを可能にされるように、吸気ポート１３０の表面積より十分に大きく定寸される。逆に言えば、排気ポート１４０の表面積は、例えば、風条件下、空気が、排気ポート１４０の中に流入し、吸気ポート１３０から流出し得るように、吸気ポート１３０の表面積より十分に大きく定寸される。
【００１５】
実施形態によると、排気ポート１４０は、布地、ポリマー、または他の好適な材料から形成される、メッシュまたは穿孔表面を備える。
【００１６】
排気ポート１４０は、円頂部の背面１６４および円頂部の側面１６６を実質的に被覆するように示されるが、実施形態は、特定の必要性に従って、排気ポート１４０の任意のサイズ、構成、または設置を検討する。
【００１７】
図３は、ある実施形態による、図１の帽子１１０の内側の例示的背面図３００を図示する。図から分かるように、帽子１１０のつば１２０内の吸気ポート１３０が、つば１２０の背面部分１３４と円頂部の正面１６２との間に位置し、それによって、間隙１５０をもたらし得る。実施形態によると、本間隙１５０は、つば１２０の材料が帽子１１０の正面を装着者の頭部から外向きに保持するようにつば１２０材料の材料を装着者の頭部に向かって内向きに延在させることによって形成され、これは、間隙１５０を円頂部の正面１６２と装着者の頭部との間にもたらし、装着者の頭部の前額に沿って空気流を可能にする。
【００１８】
間隙１５０は、つば１２０によってもたらされるが、実施形態は、例えば、間隙１５０をユーザの頭部の正面にもたらす、スペーサまたはクッション材をユーザの頭部の正面に設置すること等、他の好適な構成によって、間隙１５０を吸気ポート１３０の上方および装着者の頭部の正面に形成することを検討する。加えて、または代替として、つば１２０は、帽子１１０の正面に図示および説明されるが、実施形態は、帽子のスタイルに応じて、帽子１１０の背面、側面、または全周等、帽子１１０の任意の部分におけるつば１２０を検討する。これらの実施形態では、１つ以上の吸気ポート１３０および１つ以上の排気ポート１４０は、円頂部の正面１６２、円頂部の背面１６４、および／または円頂部の側面１６６と装着者の頭部との間の間隙１５０内に位置してもよい。
【００１９】
実施形態によると、吸気ポート１３０は、次いで、吸気ポート１３０が、空気流を遮断せずに、ネットまたはメッシュの背後に隠蔽され、帽子１１０の審美的外観を改良するように、通気性ネットまたはメッシュ（布地等）によって被覆されてもよい。いくつかの実施形態によると、布地は、空気が、吸気ポート１３０を通して、かつ布地を通してまたはその周囲を流動することを可能にする、開口部を備えてもよい。
【００２０】
他の実施形態によると、つば１２０の材料は、布地の内側に縫着され、布地もしくはメッシュによって被覆されるか、または帽子１１０の下面において部分的に可視であるかのいずれかである、吸気ポート１３０を被覆してもよい。いずれの構成でも、吸気ポート１３０は、つば１２０の真下を進行する空気が円頂部の正面１６２と装着者の頭部との間の間隙１５０を通して装着者の頭部にわたって指向されるように提供する。
【００２１】
図４は、別の実施形態による、可撓性バンド４１０を含む、図１の帽子１１０の内側の例示的背面図４００を図示する。野球帽等のいくつかの帽子１１０に関して、つば１２０は、帽子１１０の正面に縫着される。実施例は、野球帽に関して図示および説明されるが、実施形態は、開示される実施形態の種々の特徴が、カウボーイハット、サファリハット、ビーチハット、または任意の他の帽子、ヘルメット、またはヘッドギアの中に形成されることを検討する。
【００２２】
いくつかの実施形態によると、帽子１１０は、バンド４１０を帽子１１０の内側上に備える。一実施形態によると、可撓性バンド４１０は、例えば、撓性バンド４１０が装着者の頭部を把持するように構成されるように、弾性材料から成ってもよい。いくつかの実施形態によると、吸気ポート１３０は、装着者の頭部から離れた可撓性バンド４１０の側面上のつば１２０の内側に結合されてもよい。このように、空気は、吸気ポート１３０を通して、かつ可撓性バンド４１０と帽子１１０の円頂部の正面１６２との間の間隙１５０を通して流動し、それによって、可撓性バンド４１０を冷却する。可撓性バンド４１０と円頂部の正面１６２との間の間隙１５０は、間隙１５０と関連付けられた４分の１インチの幅が存在するように構成されてもよい。特定の間隙１５０が、実施例として与えられるが、実施形態は、特定の必要性に従って、より大きいまたはより小さい間隙を検討する。いくつかの実施形態によると、可撓性バンド４１０は、種々のサイズの装着者の頭部に嵌合するようにテーパ状である。
【００２３】
加えて、可撓性バンド４１０は、可撓性部分が、装着者の頭部を緊密に把持しながら、間隙１５０を円頂部の正面１６２と装着者の頭部との間に形成することを可能にする、堅性部分を備えてもよい。通常、帽子１１０の正面から離れるように後方に傾く装着者の頭部の形状は、典型的前額のものより浅い角度で円頂部の正面１６２を成形することによって、テーパ状間隙１５０を装着者の前額と円頂部の正面１６２との間にもたらすために使用されてもよい。
【００２４】
図５は、ある実施形態による、吸気ポート１３０および構造タブ５１０を含む、つば１２０の代替構成を伴う、下面図５００を図示する。実施形態によると、帽子１１０のつば１２０は、吸気ポート１３０と装着者の頭部の正面との間のつば１２０の背面縁とともに設置される、１つ以上の構造タブ５１０を備えてもよい。実施形態によると、帽子１１０のつば１２０上の構造タブ５１０は、帽子１１０へのつば１２０の把持を増加させ、吸気ポート１３０がつば１２０下を流動する空気を装着者の頭部の正面における間隙１５０の中に指向することを支援するように構成されてもよい。
【００２５】
実施形態によると、構造タブ５１０は、つば１２０と略垂直であり、吸気ポート１３０と装着者の頭部の正面との間でつば１２０の背面において上向きに折畳してもよい。加えて、または代替として、構造タブ５１０は、円頂部の正面１６２の角度と実質的に整合されてもよい。実施形態によると、構造タブ５１０は、帽子１１０のつば１２０の中に組み込まれ得る、屈曲可能プラスチック等の半剛性材料から形成される。特定の材料が、図示および説明されるが、実施形態は、特定の必要性に従って、つば１２０および構造タブ５１０のための任意のタイプの材料を検討する。
【００２６】
実施形態によると、つば１２０は、帽子１１０の内側縁に向かって折畳される、ある数の構造タブ５１０を備えてもよい。構造タブ５１０は、帽子１１０のつば１２０が帽子１１０の特定のスタイルに好適なものから拡大されないように定寸されてもよい。実施形態によると、構造タブ５１０は、つば１２０がサイズを増加させないように、つば１２０の縁内に埋設される。いくつかの実施形態によると、構造タブ５１０は、構造タブ５１０が構造タブ５１０間の間隔５２０のサイズの４倍であり得るように、示されるように定寸および離間される。特定のサイズの構造タブ５１０および構造タブ５１０間の間隔５２０が、図示および説明されるが、実施形態は、特定の必要性に従って、任意の好適なサイズの構造タブ５１０または構造タブ５１０間の間隔５２０を検討する。
【００２７】
一実施形態によると、つば１２０は、２０の構造タブ５１０を備え、構造タブ５１０を備えず、または任意の数の構造タブ５１０を備えてもよい。特定の数の構造タブ５１０が、図示および説明されるが、実施形態は、特定の必要性に従って、任意の数の構造タブ５１０を検討する。加えて、または代替として、構造タブ５１０はそれぞれ、略正方形または長方形形状を形成してもよい。特定の形状および数の構造タブ５１０が、説明されるが、実施形態は、特定の必要性に従って、任意の形状、任意の数の形状、または数の構造タブ５１０を検討する。
【００２８】
図６は、ある実施形態による、図５の帽子１１０の内側の上面図６００を図示する。図から分かるように、帽子１１０のつば１２０内の吸気ポート１３０は、つば１２０の構造タブ５１０と円頂部の正面１６２との間に位置し、それによって、間隙１５０をもたし得る。実施形態によると、本間隙１５０は、つば１２０の材料が帽子１１０の正面を装着者の頭部から外向きに保持するようにつば１２０材料の材料を装着者の頭部に向かって内向きに延在させることによって形成され、これは、間隙１５０を円頂部の正面１６２と構造タブ５１０との間にもたらし、それによって、装着者の頭部の前額に沿って空気流を可能にする。
【００２９】
一実施形態によると、可撓性バンド４１０は、図４において前述のように、装着者の頭部を把持するように構成される。いくつかの実施形態によると、可撓性バンド４１０は、つば１２０の構造タブ５１０に結合され、それによって、間隙１５０を可撓性バンド４１０と円頂部の正面１６２との間にもたらしてもよい。このように、空気は、吸気ポート１３０を通して、かつ構造タブ１５０と帽子１１０の円頂部の正面１６２との間の間隙１５０を通して流動し、それによって、可撓性バンド４１０を冷却する。加えて、構造タブ５１０は、前述のように、可撓性部分が、装着者の頭部を緊密に把持しながら、間隙１５０を円頂部の正面１６２と装着者の頭部との間に形成することを可能にする、堅性部分を可撓性バンド４１０に提供する。
【００３０】
図７Ａ−７Ｅは、ある実施形態による、つば１２０の吸気パーツ１３０の例示的実施形態を図示する。実施形態によると、吸気ポート１３０は、直接、帽子１１０のつば１２０の中に組み込まれ得る、屈曲可能プラスチック等の半剛性材料から形成される。実施形態によると、吸気ポート１３０は、つば１２０材料を通して１つ以上の開口部を備えてもよい。実施形態によると、つば１２０は、４つの吸気ポート１３０（図７Ａに図示されるように）、６つの吸気ポート１３０（図７Ｂ、７Ｃ、および７Ｅに図示されるように）または１０の吸気ポート１３０（図７Ｄに図示されるように）を備えてもよい。特定の数の吸気ポート１３０が、図示および説明されるが、実施形態は、特定の必要性に従って、任意の数の吸気パーツ１３０を検討する。
【００３１】
加えて、または代替として、つば１２０の中心に向かって位置する吸気ポート１３０は、つば１２０の側面に位置する吸気ポート１３０より広くてもよい。いくつかの実施形態によると、つば１３０の側面に向かう開口部は、吸気ポート１３０が、帽子１１０の側面における吸気ポート１３０の幅を減少させる、略三角形形状を形成するように、つば１３０の中心から離れるようにテーパ状であってもよい。これは、装着者にとっての快適性を改良しながら、また、吸気ポート１３０を通して好適な空気流を可能にし得る。
【００３２】
実施形態によると、つば１２０は、図７Ｄに示される１０の吸気パーツ１３０等、増加された数の吸気ポート１３０を備えてもよく、これは、増加された数の補強材７１０を１つ以上の吸気ポート１３０のそれぞれ間に可能にする。これは、つば１２０の剛性を増加させながら、依然として、吸気ポート１３０を通して十分な空気流を可能にし得る。
【００３３】
吸気ポート１３０は、帽子１１０のつば１２０が帽子１１０の特定のスタイルに好適なものから拡大されないように定寸されてもよい。例えば、野球帽は、特定のサイズおよび構成のつば１２０を備えてもよい。実施形態によると、吸気ポート１３０は、つば１２０がサイズを増加させないように、つば１２０内に埋設される。いくつかの実施形態によると、吸気ポート１３０は、８分の１〜８分の３インチの幅である。他の実施形態によると、吸気ポート１３０は、１６分の１〜１６分の３インチの幅である。さらに他の実施形態によると、補強材７１０は、１６分の１〜４分の１インチの幅である。特定のサイズの吸気ポート１３０および補強材７１０が、図示および説明されるが、実施形態は、特定の必要性に従って、任意の好適なサイズの開口部または補強材を検討する。
【００３４】
実施形態によると、つば１２０の材料は、例えば、ポリマー、発泡体、堅性布地、または他の同様の材料等、半剛性または可撓性基板を備える。他の実施形態によると、実施形態は、単一部品から形成され、縫着、接着剤、または同等物によって帽子１１０と結合される、つば１２０を検討する。
【００３５】
帽子１１０装具の特徴は、種々の構成要素を備えるように図示されるが、実施形態は、特定の必要性に従って、１つを上回る部品から成る任意の特徴または単一部品の中に組み合わせられる複数の特徴を検討する。加えて、実施形態は、接着剤、縫着、締結具（例えば、ボルトおよびナット、ねじ、クリップ、リベット、ピン、フックおよびループ締結具、および／または同等物）、ワッシャ、リテーナ、ストラップ、包装、配線、溶接継合、はんだ継合、および前述の任意の組み合わせ等を用いた構成要素の任意の好適な結合によって任意の他の特徴と結合する、任意の特徴を検討する。
【００３６】
本開示の特徴毎の具体的材料が、提示されるが、実施形態は、選択された材料が帽子装具の意図される動作と一貫することを前提として、成形されたオブジェクトに容易に形成され得る、種々のタイプの材料またはそれらの組み合わせを検討する。例えば、構成要素は、布地、熱可塑性および熱硬化性等のポリマー、ゴム（合成および／または天然）、炭素繊維等の複合材、金属、合金、任意の他の好適な材料、および／または前述の任意の組み合わせから形成されてもよい。
【００３７】
前述の明細書における、「一実施形態」、「ある実施形態」、または「いくつかの実施形態」の言及は、実施形態に関連して説明される特定の特徴、構造、または特性が、本発明の少なくとも一実施形態内に含まれることを意味する。明細書内の種々の場所における語句「一実施形態では」の表出は、必ずしも、全て同一実施形態を参照するわけではない。
【００３８】
例示的実施形態が、図示および説明されるが、前述の実施形態の種々の変更および修正が、本発明の精神および範囲から逸脱することなく、当業者に明白となり得ることを理解されたい。
【図１】
2019529732.tif 000003
【図２】
2019529732.tif 000004
【図３】
2019529732.tif 000005
【図４】
2019529732.tif 000006
【図５】
2019529732.tif 000007
【図６】
2019529732.tif 000008
【図７Ａ】
2019529732.tif 000009
【図７Ｂ】
2019529732.tif 000010
【図７Ｃ】
2019529732.tif 000011
【図７Ｄ】
2019529732.tif 000012
【図７Ｅ】
2019529732.tif 000013
【国際調査報告】
2019529732.tif 000014